(57)【特許請求の範囲】
【請求項１】
浴室ユニットであって、
底部と、
前記底部を囲むように前記底部の周縁部に立設された側壁と、
前記側壁によって形成される上方の開口を覆う天井と、
前記側壁の上方に設けられ、前記天井の周縁部が載置される載置部と、を備え、
前記天井は発泡樹脂により形成され、
前記側壁には、前記載置部に載置された前記天井の周囲を囲むよう配置され、前記天井の鉛直方向および水平方向への移動を阻止するよう前記天井の外表面に当接する拘束部が設けられ、
前記拘束部は、前記天井の大きさに応じて、前記拘束部と前記天井の外表面との当接位置を変更可能に構成されており、
前記拘束部は、弾性を有しており、前記天井の大きさに応じて弾性変形量が変化することで前記当接位置が変更されるよう構成されており、
前記拘束部は、前記天井の周縁部のみに当接するよう設けられるとともに、前記拘束部を弾性変形させることで、前記天井を前記側壁に対して鉛直方向に着脱可能に構成されており、
前記天井が鉛直方向上方への外力が加えられた際に、前記天井が鉛直方向上方へ凸状に変形することを防止する変形防止手段を設けており、
前記変形防止手段は、前記天井に前記外力が加えられた際に、前記天井の周縁部に水平方向外方へ引張力を付与するよう構成されており、
前記変形防止手段は、前記天井の周縁部に設けた凸部または凹部と、前記天井の周縁部が内方に変位しようとした際に、前記天井の周縁部に水平方向外方へ引張力を付与するよう前記凸部または凹部に引っ掛かる引っ掛かり部とを有することを特徴とする浴室ユニット。
【請求項２】
前記拘束部の下面は、水平方向外方に向かって下降する傾斜面を有しており、前記傾斜面を前記天井の周縁部における上方側の角部である上方側角部に当接させて、前記天井の鉛直方向および水平方向への移動を阻止することを特徴とする請求項１に記載の浴室ユニット。
【発明の詳細な説明】
【技術分野】
【０００１】
本発明は、浴室ユニットに関する。
【背景技術】
【０００２】
従来から、例えば特許文献１に記載されているように、発泡樹脂のみで形成された天井パネルを有する浴室ユニットが知られている。
【０００３】
このように、硬質な金属性板材などを用いることなく発泡樹脂のみで天井パネルを形成することにより、軽量かつ高い断熱性を有する天井パネルを実現することができ、天井パネル運搬時の負荷軽減や、浴室使用時に天井パネルに生じる結露の発生を抑制することができる。
【先行技術文献】
【特許文献】
【０００４】
【特許文献１】特開平１１−２７０１６３号公報
【発明の概要】
【発明が解決しようとする課題】
【０００５】
ここで、天井パネルのさらなる軽量化や断熱性の向上を図ろうとした場合、発泡倍率が非常に高い発泡樹脂によって天井パネルを形成することが考えられる。しかし、発泡倍率を非常に大きくすると、天井パネルの剛性が低下してしまい、特許文献１に記載の浴室ユニットのように、天井パネルにビスを螺合させ、側壁パネルを取り付ける支柱（コーナーフレーム、フラットフレーム）と天井パネルを締め付け固定することができなくなってしまう。
【０００６】
本発明は、かかる課題の認識に基づいてなされたものであり、発泡倍率が高い発泡樹脂で天井を形成したとしても、天井にビス等のねじ類を用いることなく、天井を側壁上方に固定可能な浴室ユニットを提供することを目的とする。
【課題を解決するための手段】
【０００７】
上記課題を解決するために、本発明に係る浴室ユニットは、底部と、前記底部を囲むように前記底部の周縁部に立設された側壁と、前記側壁によって形成される上方の開口を覆う天井と、前記側壁の上方に設けられ、前記天井の周縁部が載置される載置部と、を備え、前記天井は、硬質の板材を備えず、発泡樹脂により形成され、前記側壁には、前記載置部に載置された前記天井の周囲を囲むよう配置され、前記天井の鉛直方向および水平方向への移動を阻止するよう前記天井の外表面に当接する拘束部が設けられていることを特徴とする。
【０００８】
本発明に係る浴室ユニットにおいては、周縁部が載置部に載置された天井の周囲を囲むよう側壁に設けられた拘束部が、天井の鉛直方向および水平方向への移動を阻止するよう天井の外表面に当接するため、天井を側壁上方に固定することができる。しがたって、発泡倍率が高い発泡樹脂で天井を形成したとしても、天井にビス等のねじ類を用いることなく、側壁上方に天井を固定することができる。
【０００９】
また、本発明に係る浴室ユニットでは、前記拘束部は、前記天井の大きさに応じて、前記拘束部と前記天井の外表面との当接位置を変更可能に構成されていることも好ましい。
【００１０】
高発泡倍率の発泡樹脂で形成された天井は、成形時の収縮誤差が大きく、その結果、天井の大きさ（水平方向の面積や鉛直方向の厚みなど）のばらつきが大きくなってしまう。  この好ましい態様では、拘束部は、天井の大きさに応じて、拘束部と天井の外表面との当接位置が変更可能に構成されているため、そのように天井の大きさにばらつきが生じたとしても、天井の鉛直方向および水平方向への移動を阻止できるよう当接位置を変更できるため、天井のがたつき等が生じないよう、天井を側壁上方に固定することができる。
【００１１】
また、本発明に係る浴室ユニットでは、前記拘束部は、弾性を有しており、前記天井の大きさに応じて弾性変形量が変化することで前記当接位置が変更されるよう構成されていることも好ましい。
【００１２】
この好ましい態様では、拘束部の弾性変形量が変化することで、拘束部と天井の外表面との当接位置が変更されるよう構成されているため、作業者の手によって当接位置を調整する必要がない。したがって、煩雑な作業を伴うことなく、当接位置を変更することができる。
【００１３】
また、本発明に係る浴室ユニットでは、前記拘束部は、前記天井の周縁部のみに当接するよう設けられるとともに、前記拘束部を弾性変形させることで、前記天井を前記側壁に対して鉛直方向に着脱可能に構成されていることも好ましい。
【００１４】
この好ましい態様では、拘束部を弾性変形させることで天井を側壁に対して鉛直方向に着脱できるため、施工時やメンテナンス時に、煩雑な作業を伴うことなく、天井を着脱することができる。
【００１５】
また、本発明に係る浴室ユニットでは、前記天井が鉛直方向上方への外力が加えられた際に、前記天井が鉛直方向上方へ凸状に変形することを防止する変形防止手段を設けたことも好ましい。
【００１６】
浴室ユニットの天井には、例えば使用者が天井を清掃する際などに、天井の下面から上方に向かって大きな外力が加えられることがある。高発泡倍率の発泡樹脂で形成された天井は、剛性が低いため、このような外力が加えられると、天井が鉛直方向上方へ凸状に変形してしまう恐れがある。この好ましい態様では、天井が鉛直方向上方へ凸状に変形することを防止する変形防止手段を設けているため、このような変形が生じることを防止できる。このため、天井に鉛直方向上方へ外力が加えられたとしても、天井の周縁部の位置が変化しづらく、側壁から鉛直上方に天井が外れてしまうことを回避できる。
【００１７】
また、本発明に係る浴室ユニットでは、前記変形防止手段は、前記天井に前記外力が加えられた際に、前記天井の周縁部に水平方向外方へ引張力を付与するよう構成されていることも好ましい。
【００１８】
この好ましい態様では、天井に鉛直方向上方へ外力が加えられた際に、変形防止手段が天井の周縁部に水平方向外方へ引張力を付与するという簡単な方法で、天井が鉛直方向上方へ凸状に変形することを防止することができる。
【００１９】
また、本発明に係る浴室ユニットでは、前記変形防止手段は、前記天井の周縁部に設けた凸部または凹部と、前記天井の周縁部が内方に変位しようとした際に、前記天井の周縁部に水平方向外方へ引張力を付与するよう前記凸部または凹部に引っ掛かる引っ掛かり部とを有することも好ましい。
【００２０】
この好ましい態様では、天井の周縁部に設けた凸部または凹部と、天井の周縁部が内方に変位しようとした際にこの凸部または凹部に引っ掛かる引っ掛かり部を設けるという簡単な構造で天井が鉛直方向上方へ凸状に変形することを防止することができる。
【００２１】
また、本発明に係る浴室ユニットでは、前記拘束部の下面は、水平方向外方に向かって下降する傾斜面を有しており、前記傾斜面を前記天井の周縁部における上方側の角部である上方側角部に当接させて、前記天井の鉛直方向および水平方向への移動を阻止することも好ましい。
【００２２】
この好ましい態様では、拘束部の傾斜面を天井の上方側角部に当接させることで、天井の水平方向と鉛直方向へ移動を阻止できるため、拘束部に天井の側周面に当接させる当接面と天井の上面に当接させる当接面をそれぞれ別に設ける必要がない。したがって、拘束部の構造を簡略化することができる。
【発明の効果】
【００２３】
本発明の浴室ユニットによれば、発泡倍率が高い発泡樹脂で天井を形成したとしても、天井にビス等のねじ類を用いることなく、天井を側壁上方に固定可能な浴室ユニットを提供することができる。
【図面の簡単な説明】
【００２４】
【図１】本発明の実施形態に係る浴室ユニットの全体斜視図。
【図２】図１に示した浴室ユニットの側壁と支柱の嵌合構造を示す断面図。
【図３】図１に示した浴室ユニットの側壁の側断面図。
【図４】図１に示した浴室ユニット上方の分解斜視図。
【図５】図１に示した浴室ユニットの天井の斜視図。
【図６】図１に示した浴室ユニットの天井の圧入前後の様子を表す側面図。
【発明を実施するための形態】
【００２５】
以下、添付図面を参照しながら本発明の実施の形態について説明する。説明の理解を容易にするため、各図面において同一の構成要素に対しては可能な限り同一の符号を付して、重複する説明は省略する。
【００２６】
本発明の実施形態である浴室ユニットについて図１を参照しながら説明する。図１は、本発明の実施形態にかかる浴室ユニットの全体斜視図である。
【００２７】
図１に示した浴室ユニットＵＢは、底部１００、側壁Ｗ、天井４００（浴室ユニット内部の構造が分かるよう、図１では破線で図示）とを備えている。底部１００は、浴槽１１０と洗い場床１２０を有する。また、側壁Ｗは、支柱２００と壁パネル３００（浴室内部の構造が分かるよう、図１では図示省略。図４を参照）を有する。
【００２８】
浴槽１１０の下部裏面における四隅近傍には、支持脚１１１が設けられ、その支持脚６を介して、浴槽１１０は浴室設置面（例えば、建物の床）の上に設置される。支持脚１１１は、ボルト部を回転させることで高さ調節可能な構造を有する。
【００２９】
洗い場床１２０は、周縁部が上側に折り曲げられた浅底の器状（パン状）に形成され、浴室外部に湯水を漏出させない防水性を有する。そして、ボルト部を回転させることで高さ調節可能な構造を有する支持脚１２１を介して浴室設置面上に設置されている。
【００３０】
底部１００の周縁部１０１には、所定の間隔をおいて、下端が周縁部１０１に固定された複数の支柱２００が立設されている。また、同様に、底部１００の周縁部１０１には、複数の壁パネル３００が立設されており、これらの壁パネル３００は、左右それぞれの端部３０３、３０４が、隣り合う支柱２００に支持されて周縁部１０１に立設されている。ここで、周縁部１０１とは、底部１００の周縁を指すものであり、支柱２００や壁パネル３００を立設させる部位であれば、本実施形態のように、浴槽１１０や洗い場床１２０の周縁部も周縁部１０１の一部に含まれる。
【００３１】
ここで、図２を参照しながら、支柱２００と壁パネル３００の構造、および、支柱２００と壁パネル３００の連結構造について説明する。図２は、本実施形態における２つの壁パネル３００と支柱２００の嵌合構造を示した断面図である。図２では、支柱２００の立設方向と直交する方向に沿った断面を示している。  図２（Ａ）は、同一平面で隣接する２つの壁パネル３００と、これらの間に設けられた支柱２００との嵌合構造を例示している。図２（Ｂ）は、隅部で直交する２つの壁パネル３００と、これらの間に設けられた支柱２００との嵌合構造を例示している。
【００３２】
壁パネル３００は、厚みのある石膏ボード３１０の表面に薄い鋼板３２０を張り合わせて構成されている。また、支柱２００は、薄板を折り曲げた中空構造となるよう構成されており、左右の折り返し部分２１０はバネ性有している。
【００３３】
図２（Ａ）では、２つの壁パネル３００の取り付け状態を例示している。２つの壁パネル３００の鋼板３２０の左右の側面部には、それぞれバネ性を有した裏側への折り返し部分３２１が設けられている。２つの壁パネル３００を支柱２００に取り付けるには、折り返し部分３２１を支柱２００の左右の折り返し部分２１０の間に嵌め込む。折り返し部分３２１は、左右の折り返し部分２１０の間を押し広げるようにして嵌め込まれる。  折り返し部分３２１が嵌め込まれると、２つの壁パネル３００が支柱２００を間にして同一面状に固定される。
【００３４】
図２（Ｂ）では、直行する２つの壁パネル３００の取り付け状態を例示しているが、図２（Ａ）とは２つの壁パネル３００の取付け角度が異なるだけで、取り付け基本構造は同じ考え方を採用しているため説明は省略する。折り返し部分３２１が嵌め込まれると、２つの壁パネル３００は支柱２００を間にして直交する状態に固定される。このようにして、側壁Ｗは底部１００を囲むように底部１００の周縁部１０１に立設され、浴室ユニットＵＢの側面４面を構成している。
【００３５】
側壁Ｗの上端部ＷＵには、拘束金具５００が固定されている。具体的には、ねじ７００よって壁パネル３００の上端部３０１に拘束金具５００が固定されている。図３は、拘束金具５００が固定された壁パネル３００の側断面図である。図３では、壁パネル３００の立設方向に沿った断面を示している。また、図４は、浴室ユニットＵＢの拘束金具５００および天井４００のみを分解した分解斜視図である。図３に示すように、拘束金具５００は、アルミ等の金属で形成されており、鉛直方向に延びる固定部５４０と、固定部５４０の上端から浴室ユニット内方へ水平に延びる水平部５１０と、固定部５４０の上端から水平部５１０とは反対方向へ延びる拘束部５２０と、拘束部５２０の上端から浴室内方へ斜め下方へ延びる引っ掛かり部５３０を有する。さらに、拘束部５２０は、固定部５４０の上端から屈曲して延びる、弾性を有する屈曲部５２１と、屈曲部５２１の上端から浴室内方へ斜め上方へ延びる当接部５２２を有する。当接部５２２の下面は、水平方向外方に向かって下降する傾斜面５２３を有している。
【００３６】
この拘束金具５００は、水平部５１０を壁パネル３００の上端に載置した状態で、固定部５４０に設けられたねじ孔にねじ７００を貫通させ、壁パネル３００の上端部３０１に固定されている。図４に示すように、この拘束金具５００は、側壁Ｗの上辺に沿って延びるよう構成されており、上面視において矩形を形成する側壁Ｗの各辺の全てを覆うように側壁Ｗの上端部ＷＵに取り付けられている。
【００３７】
続いて、図４および図５を参照しながら天井４００について説明する。図５は、天井４００の斜視図であり、図５（Ａ）は、天井４００を上方から見た斜視図であり、図５（Ｂ）天井４００を下方から見た斜視図である。天井４００は、例えば、ＥＰＰ（発泡ポリプロピレン）、ＥＰＳ（発泡ポリスチレン）などの発泡樹脂により形成されている。天井４００は、高い軽量性および断熱性を実現するために、例えば、５〜３０倍の発泡倍率の発泡樹脂によって形成されている。天井４００は、浴室ユニットＵＢの側面４面を構成している側壁Ｗによって上方に形成される開口６００を覆うものである。
【００３８】
天井４００は、扁平の直方体状の基部４１０と、基部４１０の周縁部４１１の上面側に設けられた凹部４２０を有する。凹部４２０は、上面視において、矩形状の天井４００の各辺に沿って延びるように設けられている。
【００３９】
天井４００は、天井４００が側壁Ｗに固定された状態において、周縁部４１１の外表面が、当接部５２２の傾斜面５２３と当接するよう、予め大きめに形成されている。このように構成することで、天井４００は、当接部５２２の傾斜面５２３によって、水平方向および鉛直方向に移動しないよう拘束可能となる。
【００４０】
続いて、図６を参照しながら、天井４００を側壁Ｗに固定する方法について説明する。図６（Ａ）は天井４００を固定する前の様子を示しており、図６（Ｂ）は固定後の様子を示している。図６（Ａ）に示すように、天井４００は、上方から取り付けられるものであり、上方から取り付ける際には、まず、図６（Ａ）の白抜矢印で示すように、予め当接部５２２を外方に押し広げるように、屈曲部５２１を弾性変形させる。そして、当接部５２２を外方に押し広げた状態を維持し、当接部５２２によって囲まれる空間内に天井４００を挿入し、天井４００を拘束金具５００の水平部５１０の上面に載置する。
【００４１】
その後、当接部５２２を外方に押し広げている状態を解除する。これにより、当接部５２２は元の位置に戻ろうとする。しかし、天井４００は、その周縁部４１１が、拘束部５２０が弾性変形していない状態において当接部５２２の傾斜面５２３と当接するよう、予め大きく形成されているため、図６（Ｂ）に示すように、天井４００を囲む当接部５２２の傾斜面５２３が、天井４００の周縁部４１１の上方側の角部である上方側の角部４１２に当接し、元の形状にまでは戻らないまま、上方側角部４１２との当接によって当接部５２２が外方にやや押し広げられた状態が維持される。なお、この状態において、拘束金具５００の引っ掛かり部５３０は、天井４００の凹部４２０に入り込んだ形態となる。このように、天井４００を囲む当接部５２２の傾斜面５２３が天井４００の上方側角部４１２と当接した状態になることによって、天井４００は、当接部５２２によって、その水平方向および鉛直方向への移動が阻止される。したがって、ビス等のねじ類を天井４００に用いることなく側壁Ｗに天井４００を固定することができる。
【００４２】
また、拘束部５２０は、その屈曲部５２１が弾性変形可能であり、天井４００を側壁Ｗに固定した状態では、天井４００の大きさに応じて屈曲部５２１の弾性変形量が変化し、これにより当接部５２２と天井４００との当接位置Ｐが自然と変更される。したがって、天井４００の大きさに応じて、都度、作業者の手によって天井４００に当接する位置まで当接部５２２を移動させるなど、当接位置Ｐを調整する必要がない。したがって、煩雑な作業を伴うことなく、当接位置Ｐを変更することができる。なお、天井４００の水平方向の面積が大きいほど当接位置Ｐは外方側に位置し、水平方向の面積が小さいほど内方側に位置する。
【００４３】
また、拘束部５２０は、屈曲部５２１を弾性変形させ、当接部５２２を外方に押し広げることで、天井４００を鉛直方向に着脱可能に構成されている。したがって、施工時やメンテナンス時に、煩雑な作業を伴うことなく、天井を着脱することができる。
【００４４】
ここで、浴室ユニットＵＢの天井４００には、例えば使用者が天井４００を清掃する際などに、天井４００の下面から鉛直方向上方に向かって大きな外力が加えられることがある。高発泡倍率の発泡樹脂で形成された天井４００は、剛性が低いため、このような外力が加えられると、天井４００が鉛直方向上方へ凸状に変形してしまう恐れがある。しかし、本実施形態に係る浴室ユニットＵＢにおいては、天井４００を側壁Ｗに固定した状態において、拘束金具５００の引っ掛かり部５３０が天井４００の凹部４２０に入り込んだ状態となる。したがって、天井４００に上記のような外力が加えられ、天井４００の周縁部４１１が浴室内方に変位しようとすると、凹部４２０の内面に引っ掛かり部５３０が当接し、引っ掛かり部５３０によって天井４００の周縁部４１１には、水平方向外方に引っ張られる引張力Ｆが作用する。これにより、天井４００の周縁部４１１の浴室内方への変位が妨げられ、天井４００が鉛直方向上方へ凸状に変形することを防止することができる。
【００４５】
このように、天井４００の周縁部４１１に凹部４２０を設けるとともに、拘束金具５００に引っ掛かり部５３０を設けるという簡単な構造で天井４００が鉛直方向上方へ凸状に変形することを防止することができる。したがって、天井４００に鉛直方向上方へ外力が加えられたとしても、天井４００の周縁部４１１の位置が変化しづらく、側壁Ｗから鉛直上方に天井４００が外れてしまうことを回避できる。
【００４６】
また、本実施形態に係る浴室ユニットＵＢにおいては、当接部５２２の傾斜面５２３を天井４００の周縁部４１１における上方側角部４１２に当接させることで、天井４００の水平方向と鉛直方向へ移動を阻止できるため、拘束部５２０に天井４００の側周面４１３に当接させる当接面と天井の上面４１４に当接させる当接面をそれぞれ別に設ける必要がない。したがって、拘束部５２０の構造を簡略化することができる。
【００４７】
なお、本実施形態に係る浴室ユニットＵＢにおいては、天井４００の凹部４２０に引っ掛かり部５３０を引っ掛けることで、天井４００の鉛直方向上方への変形を防止しているが、本発明に係る浴室ユニットはこれに限られるものではなく、例えば、天井４００の凸部を設け、この凸部に引っ掛かり部５３０が引っ掛かるように構成しても構わない。
【００４８】
また、本実施形態に係る浴室ユニットＵＢにおいては、当接部５２２の傾斜面５２３を天井４００の周縁部４１１における上方側角部４１２に当接させることで、天井４００の水平方向と鉛直方向へ移動を阻止しているが、本発明に係る浴室ユニットはこれに限られるものではなく、例えば、拘束部５２０に天井４００の側周面４１３に当接させる当接面と天井４００の上面４１４に当接させる当接面をそれぞれ別に設けても構わない。
【００４９】
また、本実施形態に係る浴室ユニットＵＢにおいては、天井４００と当接部５２２の当接位置Ｐを天井の大きさに応じて拘束部５２０の弾性変形量を変化させることによって変更しているが、本発明に係る浴室ユニットはこれに限られるものではなく、例えば、当接部５２２を、側壁Ｗに固定される所定の取付具にネジ送り機構などを用いることで手動で移動させられるように構成し、手動で当接部５２２を移動させることで、天井４００の大きさに応じて当接位置を変更できるように構成しても構わない。
【符号の説明】
【００５０】
１００：底部
１０１：周縁部
１１０：浴槽
１２０：洗い場床
２００：支柱
２１０：折り返し部分
３００：壁パネル
３０１：上端部
３０３：端部（左端部）
３０４：端部（右端部）
３１０：石膏ボード
３２０：鋼板
３２１：折り返し部分
４００：天井
４１０：基部
４１１：周縁部
４１２：上方側角部
４１３：側周面
４１４：上面
４２０：凹部
５００：拘束金具
５１０：水平部（載置部）
５２０：拘束部
５２１：屈曲部
５２２：当接部
５２３：傾斜面
５３０：引っ掛かり部
５４０：固定部
６００：開口
７００：ねじ
ＵＢ：浴室ユニット
Ｗ：側壁
ＷＵ：上端部
Ｐ：当接位置
【図１】
0006682791.tif 000002
【図２】
0006682791.tif 000003
【図３】
0006682791.tif 000004
【図４】
0006682791.tif 000005
【図５】
0006682791.tif 000006
【図６】
0006682791.tif 000007